(57)【要約】  ジュエリーシステムは、ロケットであって、内部キャビティ、及び、ロケットの上部の開口を有する、ロケットと、内部キャビティ内で固定するためのコンテナであって、開口を通して延在するための蓋、及び、蓋に接続され、コンテナ内に延在するアプリケータを有し、蓋は、コンテナからアプリケータを取り外すために取り外し可能である、コンテナと、コンテナの内部内に配設された液体とを有し、アプリケータは、コンテナから液体の一部分を取り除くためのものである。【選択図】  図１
2020509801.tif 000002
【特許請求の範囲】
【請求項１】
ジュエリーシステムであって、
ロケットであって、
内部キャビティ、及び、
ロケットの上部の開口を有する、ロケットと、
前記内部キャビティ内で固定するように構成されるコンテナであって、
前記開口を通して延在するように構成される蓋、及び、
前記蓋に接続され、コンテナ内に延在するアプリケータを有し、
前記蓋は、コンテナから前記アプリケータを取り外すために取り外し可能である、コンテナと、
前記コンテナの内部内に配設された液体とを備え、
前記アプリケータは、前記コンテナから前記液体の一部分を取り除くように構成される、システム。
【請求項２】
前記ロケットは、
背面、
１つまたは複数のヒンジによって前記背面に取り付けられたドア、及び、
前記背面に対して閉鎖位置で前記ドアを保持するように構成されるクラスプをさらに備える、請求項１に記載のシステム。
【請求項３】
前記ロケットは、
前記ロケットの背面に取り付けられたループをさらに備え、
前記ループは、前記ロケットをチェーンに固定するように構成される、請求項１に記載のシステム。
【請求項４】
前記ループに取り付けられたキーチェーンをさらに備える、請求項３に記載のシステム。
【請求項５】
前記ループに取り付けられたネックレスをさらに備える、請求項３に記載のシステム。
【請求項６】
前記ネックレスは、
前記ループに取り付けられた第１の端部と、
前記ループを通して挿入されるように構成されるチャームを有する第２の端部とをさらに備え、
前記ループを通して前記第２の端部を挿入することは、前記ネックレスをユーザーの首の周りに固定する、請求項５に記載のシステム。
【請求項７】
前記チャームは取り外し可能かつ置換可能である、請求項５に記載のシステム。
【請求項８】
前記ループに取り外し可能に固定されるように構成される第２のチャームをさらに備える、請求項５に記載のシステム。
【請求項９】
前記液体は香水である、請求項１に記載のシステム。
【請求項１０】
前記液体はオイルディフューザーである、請求項１に記載のシステム。
【請求項１１】
前記液体はリップグロスである、請求項１に記載のシステム。
【請求項１２】
前記アプリケータは、
前記アプリケータの端部に固定されたスポンジをさらに備える、請求項１に記載のシステム。
【請求項１３】
前記液体は気泡吹き付け液であり、
前記アプリケータは、気泡を吹き付ける開口をさらに備える、請求項１に記載のシステム。
【請求項１４】
ジュエリーシステムであって、
コンテナを備え、前記コンテナは、内部エリアを有し、
前記コンテナの上部開口に固定するように構成される蓋、及び、
前記蓋に接続され、前記コンテナの前記内部エリア内に延在するアプリケータをさらに有し、
前記蓋は、前記コンテナから前記アプリケータを取り外すために取り外し可能であり、
前記コンテナの前記内部エリア内に配設された液体とを備え、
前記アプリケータは、前記コンテナから前記液体の一部分を取り除くように構成される、ジュエリーシステム。
【請求項１５】
前記コンテナの背面に取り付けられたループをさらに備える、請求項１４に記載のジュエリーシステム。
【請求項１６】
前記ループに取り付けられたネックレスをさらに備える、請求項１５に記載のシステム。
【請求項１７】
前記ネックレスは、
前記ループに取り付けられた第１の端部と、
前記ループを通して挿入されるように構成されるチャームを有する第２の端部とをさらに備え、
前記ループを通して前記第２の端部を挿入することは、前記ネックレスをユーザーの首の周りに固定する、請求項１６に記載のシステム。
【請求項１８】
前記チャームは取り外し可能かつ置換可能である、請求項１７に記載のシステム。
【請求項１９】
前記ループに取り外し可能に固定されるように構成される第２のチャームをさらに備える、請求項１７に記載のシステム。
【発明の詳細な説明】
【技術分野】
【０００１】
本発明は、概して、ジュエリーに関し、より具体的には、リップグロスまたは香水などの液体物質を運ぶためのジュエリーシステムに関する。
【背景技術】
【０００２】
ジュエリーは、当技術分野でよく知られており、男性及び女性が衣服をカスタマイズし衣服に合わせる手段を提供する。例えば、ネックレス、イアリング、及びキーチェーンは、衣服に合わせるために使用されるほんの少数のアイテムである。
【発明の概要】
【発明が解決しようとする課題】
【０００３】
従来のジュエリーに一般に関連する問題の１つは、わくわく感及びユニークさである。例えば、多くの人々が同様のジュエリーアイテムを装着し、したがって、自分のジュエリーを通して個性またはスタイルの自分のユニークなセンスを表現できない。
【０００４】
したがって、ジュエリーの分野において大きな進歩が遂げられたが、多くの欠点が残っている。
【課題を解決するための手段】
【０００５】
本出願の実施形態を特徴付けると思われる新規な特徴は、添付特許請求の範囲で述べられる。しかしながら、実施形態自身、ならびに、使用の好ましい態様、及び、そのさらなる目的及び利点は、添付図面と併せて読まれると、以下の詳細な説明を参照して最もよく理解される。
【図面の簡単な説明】
【０００６】
【図１】本発明の好ましい実施形態によるジュエリーシステムの正面図である。
【図２】図１のジュエリーシステムの背面図である。
【図３】図１のジュエリーシステムの正面分解図である。
【図４】図１のジュエリーシステムの前面開放組立図である。
【図５Ａ】図１のアプリケータの種々の実施形態の正面図である。
【図５Ｂ】図１のアプリケータの種々の実施形態の正面図である。
【図５Ｃ】図１のアプリケータの種々の実施形態の正面図である。
【図６】図１のジュエリーシステムが組み込まれた状態のネックレスの正面図である。
【図７】図１のジュエリーシステムが組み込まれた状態のキーチェーンの正面図である。
【図８】本出願によるジュエリーシステムの代替の実施形態の正面図である。
【発明を実施するための形態】
【０００７】
本出願のシステム及び使用方法は種々の修正及び代替の形態を許容する余地があるが、その特定の実施形態は、図面において例として示されており、本明細書で詳細に述べられる。しかしながら、特定の実施形態の本明細書の説明が、本発明を開示された特定の実施形態に限定することを意図するのではなく、逆に、本発明が、添付特許請求項の範囲によって規定される本出願の趣旨及び範囲内に入る全ての修正物、等価物、及び代替物を包含することを意図されることが理解されるべきである。
【０００８】
本出願のシステム及び使用方法の例示的な実施形態は以下に提供される。任意の実際の実施形態の開発において、実装形態ごとに変動することになるシステム関連及びビジネス関連制約に関する遵守などの開発者の特定の目標を達成するために多数の実装形態特有の決定が行われることになることがもちろん認識されるであろう。さらに、そのような開発努力は、複雑でかつ時間がかかる場合があるが、それでも、本開示の利益を有する当業者にとって日常的作業であることが認識されるであろう。
【０００９】
本出願によるシステム及び使用方法は、従来のジュエリーに一般に関連する上記で論じた問題の１つまたは複数を克服する。特に、本発明は、ユーザーが自分のジュエリーをカスタマイズし個人化する手段を提供する。システム及び使用方法の上記のまた他のユニークな特徴は、以下で論じられ、添付図面に示される。
【００１０】
システム及び使用方法は、付随する説明と結び付けられた添付図面から、その構造と動作の両方に関して理解されるであろう。システムの幾つかの実施形態が本明細書で提示される。異なる実施形態の種々のコンポーネント、部品、及び特徴が、全ての変形形態及び特定の実施形態が図面に示されなくても、共に組み合わされてもよい及び／または互いに置換されてもよく、すべてが本出願の範囲内にあることが理解されるべきである。種々の実施形態の間での特徴、要素、及び／または機能の混合及び照合が本明細書で明示的に企図されるため、一実施形態の特徴、要素、及び／または機能が、別途述べられない限り、別の実施形態に適宜組み込まれてもよいことを当業者が本開示から認識することになることが同様に理解されるべきである。
【００１１】
本明細書で述べる好ましい実施形態は、網羅的であること、または、開示される厳密な形態に本発明を限定することを意図されない。好ましい実施形態が選択され述べられて、本発明の原理ならびにその適用及び実用的な使用を説明し、それにより、当業者がその教示に従うことを可能にする。
【００１２】
ここで、同様の参照符号が幾つかの図全体を通して対応するまたは同様の要素を特定する図面を参照すると、図１〜４は、本出願の好ましい実施形態によるジュエリーシステム１０１の種々の図を示す。システム１０１が従来のジュエリーシステムに一般に関連する上記で挙げた問題の１つまたは複数を克服することが認識されるであろう。
【００１３】
企図される実施形態において、システム１０１は、ロケット１０３であって、ロケット１０３の内部３００内に閉囲されたコンテナ１０５を有する、ロケット１０３を含む。ロケット１０３が中実体であること、または代替的に、図３から４に示すように、背面３０１、及び、１つまたは複数のヒンジ１０７及び１つまたは複数の閉鎖クラスプ１０９によって背面３０１に接続されたドア３０３を含み、それにより、ドア３０３が開閉することを可能にし得ることが企図される。この実施形態において、コンテナ１０５は、取り外され、置換され、それにより、ユーザーがコンテナ１０５の目的及び内容物を変更する手段を提供し得る。
【００１４】
好ましい実施形態において、コンテナ１０５は、ロケット１０３の上部表面の上に延在するように構成される蓋１１１を含む。蓋１１１は、コンテナ１０５の内部内に延在するアプリケータ１１３をさらに含む。コンテナ１０５は、リップグロス、香水、エッセンシャルオイル、または気泡吹き付け液などの液体物質を保持するように構成される。アプリケータ１１３は、蓋１１１によってコンテナ１０５から取り外されるように構成され、それにより、ユーザーが液体物質にアクセスする手段を提供する。蓋１１１を取り外す１つの企図される手段は、コンテナ１０５上のねじ山付き接続３０５による。しかしながら、種々の接続手段が使用される可能性があることが認識されるべきである。
【００１５】
好ましい実施形態において、ロケット１０３は、図２に示すように、ロケット１０３の背面に固定されたループ１１５を含む。ループ１１５が任意の手段によってロケット１０３に固定され、それにより、チェーン、コード、または他の同様のデバイスを取り付ける場所を提供し得ることが認識されるべきである。
【００１６】
図５Ａ〜５Ｃに示すように、アプリケータ１１３の種々の企図される実施形態が示される。一実施形態５０１において、アプリケータ１１３は、プラスチックの固体ピースであり、それにより、香水と共に使用するのに適切である。代替の実施形態５０３において、アプリケータ１１３は、アプリケータ１１３の端部を覆うように構成されるフォームカバー５０５をさらに含み、それにより、リップグロスと共に使用するのに適切である。なお別の代替の実施形態５０７において、アプリケータ１１３は穴５０９を含み、アプリケータは、コンテナ１０５内に配設された気泡吹き付け液と共に使用される可能性がある。アプリケータ１１３が、サイズ及び材料において変動し得ることが認識されるべきである。
【００１７】
本出願に特徴的であると思われるユニークな特徴のうちの１つの特徴が、ロケット内へのコンテナ１０５の組み込みであることが認識されるべきである。この特徴が、ユーザーが、ジュエリーのファッショナブルピース内でリップグロスまたは香水などの液体物質を運ぶ手段を提供することが理解されるべきである。
【００１８】
図６及び図７において、システム１０１が組み込まれた状態のジュエリーアイテムの２つの例示的な実施形態が示される。図６にて、システム１０１は、１つまたは複数のチェーン６０３ａ、６０３ｂ及びチェーン６０３ａ、６０３ｂに接続された１つまたは複数のチャーム６０５を有するネックレス６０１に取り付けられ、ユーザーの首の周りの所定の場所にネックレス６０１を保持するためにループ１１５を通して挿入されるように構成される。チェーン６０３ａ、６０３ｂが、金属、ナイロン、及び／またはシルクを含む材料において変動し得ることが認識されるべきである。システム１０１の本質的な機能が維持されたままで、さらなるチェーン及びチャームがネックレス６０１に組み込まれ得ることがさらに認識されるべきである。チャーム６０５が、取り外し可能である、置換可能である、及び／または、さらなるチェーンにまたはネックレスの種々の場所で取り付けられ、それにより、カスタマイズのさらなる手段を提供し得ることがさらに企図される。
【００１９】
図７にて、システム１０１を有するキーチェーン７０１が示される。キーチェーン７０１を作成するためキーリング７０５へのチェーン７０３に取り付けるためにループ１１５が使用され、それにより、システム１０１を運ぶ代替の手段を提供することができることが企図される。チェーン７０３が、代替的に、ロケット１０３にまたはキーチェーンにシステム１０１を固定するのに適切な任意の他の手段に直接取り付けられ得ることが認識されるべきである。
【００２０】
システム１０１の種々のコンポーネントが、美的、機能的、または製造上の考慮事項が要求するように、形状、サイズ、及び材料において変動し得ることが認識されるべきである。
【００２１】
図８にて、前面図は、内部に化粧品または香水を保持するように構成されるコンテナ８０３を備え、蓋８０７と一体のアプリケータ８０５をさらに含むジュエリーシステム８０１の代替の実施形態を示す。この実施形態において、ループ８０９または同様の構造がコンテナ８０３に直接取り付けられ、それにより、ロケットなしでコンテナ８０３の内容物を装着し使用する手段を提供する。システム８０１が、上述したように、ネックレス、キーチェーン、及び同様なものに関連して、システム１０１を置換し得ることが認識されるべきである。さらに、アプリケータ及びコンテナの内容物は、上記で述べたように変更され得る。
【００２２】
上記で開示した特定の実施形態は、例示に過ぎず、本明細書の教示の利益を有する当業者に明らかな、異なるが等価な方法で修正され実施されてもよい。したがって、上記で開示した特定の実施形態が変更または修正されてもよく、全てのそのような変形が本出願の範囲及び趣旨内にあると考えられることが明らかである。したがって、本明細書で求められる保護は説明において述べられるものである。本実施形態は、上記で示されるが、これらの実施形態だけに限定されるものではなく、本実施形態の趣旨から逸脱することなく種々の変更及び修正を受ける。
【図１】
2020509801.tif 000003
【図２】
2020509801.tif 000004
【図３】
2020509801.tif 000005
【図４】
2020509801.tif 000006
【図５Ａ】
2020509801.tif 000007
【図５Ｂ】
2020509801.tif 000008
【図５Ｃ】
2020509801.tif 000009
【図６】
2020509801.tif 000010
【図７】
2020509801.tif 000011
【図８】
2020509801.tif 000012
【国際調査報告】
2020509801.tif 000013